【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
事象又は概念の包含関係に対応する木構造にそれぞれ対応付けられた、事象又は概念を分類する際の区分を示した複数のタグの中から、事象又は概念の包含関係の基準となる粒度毎に、文字、画像又は音声の少なくとも何れかを含む入力データに対応しうる前記タグを抽出した抽出結果に関する情報を、表示画面に前記粒度毎に表示する際の制御を行う表示制御部
を備える、情報処理装置。
【請求項２】
前記表示制御部は、前記抽出結果に関する情報に含まれる、抽出された前記タグの尤もらしさを示した評価値の大きさに応じて、前記タグの表示形式を変更する、請求項１に記載の情報処理装置。
【請求項３】
前記表示制御部は、前記評価値の大きさに応じて、抽出された前記タグの表示順を変更する、請求項２に記載の情報処理装置。
【請求項４】
前記表示制御部は、前記評価値の大きさに応じて、抽出された前記タグを示すフォントの種類、色、大きさ又は太さの少なくとも何れかを変更する、請求項２〜３の何れか１項に記載の情報処理装置。
【請求項５】
前記表示制御部は、前記抽出結果に関する情報に含まれる前記タグと、前記入力データに対応するサムネイルとを対応づけて、前記表示画面に表示させる、請求項１〜４の何れか１項に記載の情報処理装置。
【請求項６】
前記表示制御部は、前記抽出結果に関する情報に含まれる前記タグを、前記木構造の形式で表示させる、請求項１〜５の何れか１項に記載の情報処理装置。
【請求項７】
前記表示制御部は、前記抽出結果に関する情報に含まれる前記タグを、前記表示画面に一覧表示させる、請求項１〜５の何れか１項に記載の情報処理装置。
【請求項８】
文字、画像又は音声の少なくとも何れかを含む入力データに基づいて、事象又は概念の包含関係に対応する木構造にそれぞれ対応付けられた、事象又は概念を分類する際の区分を示した複数のタグの中から、事象又は概念の包含関係の基準となる粒度毎に、前記入力データに対応しうる前記タグを抽出するタグ候補抽出部
を備える、情報処理サーバ。
【請求項９】
前記タグ候補抽出部は、前記木構造において同一の階層に属する前記タグの抽出状況に応じて、抽出された前記同一の階層に属するタグを包含する直上の階層の前記タグを、前記入力データに対応しうるタグとして更に抽出する、請求項８に記載の情報処理サーバ。
【請求項１０】
前記タグ候補抽出部は、抽出した前記タグに関連する、前記入力データに対応するタグとして選択される確率の高い前記タグを利用して、抽出した前記タグを補完する、請求項８又は９に記載の情報処理サーバ。
【請求項１１】
前記入力データに基づいて、当該入力データに対応する前記タグである入力データ対応タグを識別するタグ識別部を更に備え、
前記タグ候補抽出部は、識別された前記入力データ対応タグに基づいて、当該入力データ対応タグが含まれうる前記木構造中の前記タグを抽出する、請求項８〜１０の何れか１項に記載の情報処理サーバ。
【請求項１２】
前記入力データの中から、前記入力データ対応タグの識別に利用するデータ領域を検出する領域検出部を更に備え、
前記タグ識別部は、検出された前記データ領域に対応する前記入力データを利用して、前記入力データ対応タグを識別する、請求項１１に記載の情報処理サーバ。
【請求項１３】
前記タグ識別部は、前記入力データに関する識別器を利用した識別処理、前記入力データに類似する類似データの検索による識別処理、又は、前記木構造における前記タグへの対応付け履歴に基づく識別処理の少なくとも何れかにより、前記入力データ対応タグを識別する、請求項１１又は１２に記載の情報処理サーバ。
【請求項１４】
事象又は概念の包含関係に対応する木構造にそれぞれ対応付けられた、事象又は概念を分類する際の区分を示した複数のタグの中から、事象又は概念の包含関係の基準となる粒度毎に、文字、画像又は音声の少なくとも何れかを含む入力データに対応しうる前記タグを抽出した抽出結果に関する情報を、表示画面に前記粒度毎に表示する際の制御を行うこと
を含む、情報処理方法。
【請求項１５】
文字、画像又は音声の少なくとも何れかを含む入力データに基づいて、事象又は概念の包含関係に対応する木構造にそれぞれ対応付けられた、事象又は概念を分類する際の区分を示した複数のタグの中から、事象又は概念の包含関係の基準となる粒度毎に、前記入力データに対応しうる前記タグを抽出すること
を含む、情報抽出方法。
【請求項１６】
コンピュータに、
事象又は概念の包含関係に対応する木構造にそれぞれ対応付けられた、事象又は概念を分類する際の区分を示した複数のタグの中から、事象又は概念の包含関係の基準となる粒度毎に、文字、画像又は音声の少なくとも何れかを含む入力データに対応しうる前記タグを抽出した抽出結果に関する情報を、表示画面に前記粒度毎に表示する際の制御を行う表示制御機能
を実現させるためのプログラム。
【請求項１７】
コンピュータに、
文字、画像又は音声の少なくとも何れかを含む入力データに基づいて、事象又は概念の包含関係に対応する木構造にそれぞれ対応付けられた、事象又は概念を分類する際の区分を示した複数のタグの中から、事象又は概念の包含関係の基準となる粒度毎に、前記入力データに対応しうる前記タグを抽出するタグ候補抽出機能
を実現させるためのプログラム。
【手続補正２】
【補正対象書類名】明細書
【補正対象項目名】００７４
【補正方法】変更
【補正の内容】
【００７４】
次に、タグ候補抽出部１０７は、図７Ｃに示したように、選出された子ノードの数の閾値判定によるタグ候補の抽出を行う。ここで、子ノード数による抽出閾値として、中分類に該当する階層が抽出される条件として、直下の小分類の抽出数が２以上であるか否かという条件が設定されており、大分類に該当する階層が抽出される条件として、直下の中分類の抽出数が１以上であるか否かという条件が設定されているものとする。
【手続補正３】
【補正対象書類名】明細書
【補正対象項目名】０１０６
【補正方法】変更
【補正の内容】
【０１０６】
例えば図１０に示したＧＵＩでは、表示制御部２０７は、タグ候補表示領域に対して、タグ候補情報に記載されているタグ候補を、木構造の形式で粒度に応じて表示させている。このような木構造を示すことで、ユーザは、入力データに該当しうるタグを、粒度毎に把握することが可能となる。
【手続補正４】
【補正対象書類名】明細書
【補正対象項目名】０１０９
【補正方法】変更
【補正の内容】
【０１０９】
また、表示制御部２０７は、例えば図１３に示したように、表示画面に検索ワード入力領域を併せて表示させることで、タグ候補の検索機能をユーザに提供することも可能である。図１３の左側に示したように、検索ワードが入力されていない初期状態では、表示制御部２０７は、タグ候補表示領域に対して、タグ候補情報に記載されたタグ候補を表示させる。その後、検索ワード入力領域に、ユーザ操作によって文字列が入力されると、図１３の右側に示したように、タグ候補を検索ワードに基づいて絞り込み、その結果を表示させるようにしてもよい。また、この際、検索ワードに該当し、かつ、タグ候補に存在していないようなタグを、タグ候補表示領域に併せて表示させてもよい。
【手続補正５】
【補正対象書類名】明細書
【補正対象項目名】０１１１
【補正方法】変更
【補正の内容】
【０１１１】
なお、表示制御部２０７は、例えば図１５に示したように、ユーザ操作に応じてタグ候補に記載されていないタグを新規に追加するためのユーザインタフェースを提供してもよい。これにより、ユーザは、所望のタグがタグ候補表示領域に存在しなかった場合に、新規タグを生成して追加することが可能となる。例えば図１５に示した例では、ユーザ操作に応じて、中分類「ラーメン類」に属する小分類として「坦々麺」が追加されている。
【手続補正６】
【補正対象書類名】明細書
【補正対象項目名】０１１２
【補正方法】変更
【補正の内容】
【０１１２】
以上、図１０〜図１５を参照しながら、情報処理装置２０によりユーザに提示されるグラフィカルユーザインタフェース（ＧＵＩ）の例について、具体的に説明した。
【手続補正７】
【補正対象書類名】図面
【補正対象項目名】図９
【補正方法】変更
【補正の内容】
【図９】
2013084074.tif 000001